(57)【要約】【課題】塗装効率を向上させて、材料コストの低減化を図ることのできる塗装装置を提供する。【解決手段】上方より吊り下げられる垂直シャフト（２）と、一端部に塗装ガン（４）（８）…を備えた複数の支持アーム（３）（７）…とを備えさせており、前記複数の支持アーム（３）（７）…が、平面から見て前記垂直シャフト（２）下端部から略放射状に延びるように配置されるようにしている。【選択図】  図１
2004167314.tif 000002
【特許請求の範囲】
【請求項１】
上方より吊り下げられる垂直シャフトと、一端部に塗装ガンを備えた複数の支持アームとを備えた塗装装置であって、前記複数の支持アームが、平面から見て前記垂直シャフト下端部から略放射状に延びるように配置されていることを特徴とする塗装装置。
【請求項２】
前記塗装ガンは、前記垂直シャフトの下方において一定方向に搬送される被塗装材に対して、その搬送方向右側と左側とに、それぞれ複数設けられているとともに、これら右側の複数の塗装ガンと、左側の複数の塗装ガンとは、それぞれ前記被塗装材の搬送方向と略平行な一直線上に配置されている請求項１記載の塗装装置。
【請求項３】
前記右側の塗装ガンと左側の塗装ガンとは、前記被塗装材の搬送方向におけるそれぞれの前後位置が互い違いとなるように設けられている請求項２記載の塗装装置。
【請求項４】
前記支持アームは、略水平方向に沿って設けられている請求項１乃至３のいずれかに記載の塗装装置。
【請求項５】
前記塗装ガンは、いずれも水平面に対して略４５度下方に傾いた状態で取り付けられている請求項４記載の塗装装置。
【発明の詳細な説明】
【０００１】
【発明の属する技術分野】
この発明は、建物用外壁材等の被塗装材を塗装する塗装装置に関する。
【０００２】
【従来の技術】
従来より、以下の特許文献１及び２のように、コンベアによって搬送される外壁材等の被塗装材の上方に複数の塗装ガンを配置して、水平方向において被塗装材の搬送方向と直交する横方向に往復動（以下、「レシプロ運動」と称する。）しながら、前記被塗装材に塗料を吹き付ける塗装装置が開発されている。
【０００３】
【特許文献１】特開２００１−２９３４０４号公報
【特許文献２】特開２００１−２９３４０６号公報
【０００４】
【発明が解決しようとする課題】
しかし、従来の塗装装置（３１）は、図４及び図５に示すように、塗装ガン（３４）を一端部に備えた複数の支持アーム（３３）が、垂直シャフト（３２）下端に吊り下げられた水平シャフト（３０）に間隔を空けて取り付けられる支持構造となっており、シャフト（３０）（３２）やアーム（３３）（３３）…の連結箇所が多いために、部品点数が多く必要となり、装置（３１）全体の重量が大きくなる傾向にあった。
【０００５】
従って、上述のレシプロ運動の際に、装置（３１）に大きな負荷がかかってしまい、水平シャフト（３０）や支持アーム（３３）（３３）…が折損する恐れがあるため、レシプロ速度を十分に上げることができず、塗装効率が悪くなる欠点があった。また、部品点数が多くなるために、材料コストが高くなってしまう傾向にあった。
【０００６】
そこで、この発明は、上記の不具合を解消して、塗装効率を向上させて、材料コストの低減化を図ることのできる塗装装置を提供する。
【０００７】
【課題を解決するための手段】
上記の課題を解決するため、この発明は、上方より吊り下げられる垂直シャフトと、一端部に塗装ガンを備えた複数の支持アームとを備えた塗装装置であって、前記複数の支持アームが、平面から見て前記垂直シャフト下端部から略放射状に延びるように配置されていることを特徴とする。
【０００８】
また、前記塗装ガンは、前記垂直シャフトの下方において一定方向に搬送される被塗装材に対して、その搬送方向右側と左側とに、それぞれ複数設けられているとともに、これら右側の複数の塗装ガンと、左側の複数の塗装ガンとは、それぞれ前記被塗装材の搬送方向と略平行な一直線上に配置されている。
【０００９】
さらに、前記右側の塗装ガンと左側の塗装ガンとは、前記被塗装材の搬送方向におけるそれぞれの前後位置が互い違いとなるように設けられている。
【００１０】
加えて、前記支持アームは、略水平方向に沿って設けられており、前記塗装ガンは、いずれも水平面に対して略４５度下方に傾いた状態で取り付けられている。
【００１１】
上記において、それぞれの支持アームは、その基端が必ずしも垂直シャフト下端部に対して直接取り付けられるものではない。
【００１２】
【発明の実施の形態】
以下、この発明の実施形態を図面に基づいて詳細に説明する。図１乃至３に示すように、塗装装置（１）は、被塗装材（１９）の上方に設置されるようになっており、上方より吊り下げられる垂直シャフト（２）と、一端部に塗装ガン（７）〜（１０）を備えた複数の支持アーム（３）〜（６）とを備えている。
【００１３】
ここで、被塗装材（１９）は、垂直シャフト（２）の下方において、例えばコンベア（２０）によって一定方向に搬送されるようになっている。そして、塗装装置（１）は、垂直シャフト（２）上端部を支持する図示しない駆動部によって、被塗装材（１９）の搬送方向に直交する横方向にレシプロ運動するようになっている。
【００１４】
なお、コンベア（２０）等に搬送されていない被塗装材（１９）に対して塗装を行う場合は、その静止している被塗装材（１９）に対して、装置（１）自体を前後左右に移動させながら塗装することが考えられる。
【００１５】
垂直シャフト（２）の下端部には、例えば円柱状の連結部材（１５）が取り付けられている。そして、この連結部材（１５）の外周面には、前記複数の支持アーム（３）〜（６）他端部が、溶接により固着されるか、又は、連結部材（１５）の外周面に形成された連結穴に嵌着されるようになっている。
【００１６】
これら支持アーム（３）〜（６）の一端部に取り付けられる塗装ガン（７）〜（１０）は、被塗装材（１９）に対して、その搬送方向右側と左側とに、それぞれ２台ずつ配置されるようになっている。そして、これら左右両側において、２台の塗装ガン（７）〜（１０）が、それぞれ被塗装材（１９）の搬送方向と略平行な一直線上に配置されるようになっている。
【００１７】
従って、被塗装材（１９）としてＬ形の外壁材の外表面（１１）（１２）を、装置（１）をレシプロ運動させながら塗装する場合、その搬送方向右側の外表面（１１）は右側の２台の塗装ガン（７）（８）によって、左側の外表面（１２）は左側の２台の塗装ガン（９）（１０）によって、それぞれ重ね塗りされるようになっている。
【００１８】
よって、装置（１）のレシプロ速度を必要以上に速くしなくても、速い速度で搬送される被塗装材（１９）に対して、むらなく塗装できるようになっているため、短時間で多くの被塗装材を効率よく塗装することが可能となり、生産性の向上を図ることができる。
【００１９】
また、被塗装材（１９）搬送方向右側の塗装ガン（７）（８）と左側の塗装ガン（９）（１０）とは、被塗装材（１９）の搬送方向におけるそれぞれの前後位置が互い違いとなるように設けられている。
【００２０】
従って、上述したように、一定方向に搬送されるＬ形の外壁材に対して、その搬送方向に直交する横方向に装置（１）をレシプロ運動させながら塗装する場合、左右いずれの外表面（１１）（１２）においても、塗り残しが生じることなく、むらなく塗装できるようになっている。
【００２１】
さらに、それぞれの塗装ガン（７）〜（１０）は、水平面に対して例えば４５度下方に傾いた状態で取り付けられている。ゆえに、外表面（１１）（１２）が略４５度傾いた状態で搬送される例えばＬ形の外壁材を塗装する際に、その搬送方向右側の外表面（１１）に対しては、同じく右側の塗装ガン（７）（８）から左下方へ、搬送方向左側の外表面（１１）に対しては、同じく左側の塗装ガン（９）（１０）から右下方へ、それぞれ外表面（１１）（１２）に対して直交する方向へ塗料を吹き付けるようになっている。
【００２２】
従って、Ｌ形の外壁材の外表面（１１）（１２）に溝（１３）（１３）…や目地等が形成されている場合、それら溝（１３）（１３）…や目地等に対しても塗り残しなく塗装できるようになっている。
【００２３】
加えて、それぞれの塗装ガン（７）〜（１０）は、支持アーム（３）〜（６）に対して着脱自在となっているため、点検、修理、交換等のメンテナンス性に優れている。
【００２４】
そして、塗装ガン（７）〜（１０）を一端部に備えた複数の支持アーム（３）〜（６）は、平面から見て垂直シャフト（２）下端部から略放射状に延びるように配置されている。
【００２５】
すなわち、垂直シャフト（２）と各支持アーム（３）〜（６）とを、全て同一箇所で連結できるようになっているため、連結のために多くの部品点数を要することがなく、装置（１）の軽量化、及び材料コストの低減化を図ることができるようになっている。
【００２６】
また、装置（１）が軽量であるために、装置（１）をレシプロ運動させても、あまり大きな負荷がかかることがないため、支持アーム（３）〜（６）が折損したりする心配がない。よって、装置（１）のレシプロ速度を十分に上げることが可能となるため、その分だけ被塗装材（１９）を速い速度で搬送することができ、塗装効率を向上させることができるようになっている。
【００２７】
さらに、支持アーム（３）〜（６）は、垂直シャフト（２）に対して被塗装材（１９）の搬送方向右側と左側とに、それぞれ２本ずつ配置されるようになっている。
【００２８】
そして、被塗装材（１９）の搬送方向右側に配置される一方の支持アーム（３）と、左側に配置される一方の支持アーム（６）とは、平面から見て垂直シャフト（２）下端部を通る略同一直線上に配置されている。同様に、前記搬送方向右側の他方の支持アーム（４）と、左側の他方の支持アーム（５）とが、平面から見て垂直シャフト（２）下端部を通る略同一直線上に配置されている。
【００２９】
このようにして垂直シャフト（２）下端部を挟むようにして設けられた左右の支持アーム（３）〜（６）は、互いに略同じ長さに設定されており、装置（１）全体の重量バランスに偏りが生じないようになっているため、装置（１）に余計な負荷がかからないようになっている。
【００３０】
また、図２に示すように、被塗装材（１９）の搬送方向右側において、２本の支持アーム（３）（４）は、それぞれ長さが異なるように設けられている。そして、平面から見たときに、長い方の支持アーム（３）の長さ方向と、前記搬送方向に直交する方向（矢印Ａ方向）とで形成される角度（α）は、短い方の支持アーム（４）の長さ方向と、前記直交方向（矢印Ａ方向）とで形成される角度（β）よりも大きくなっている。
【００３１】
同様に、被塗装材（１９）の搬送方向左側においても、２本の支持アーム（５）（６）の長さがそれぞれ異なっており、平面から見たときに、長い方の支持アーム（６）の長さ方向と、前記直交方向（矢印Ａ方向）とで形成される角度（α）が、短い方の支持アーム（５）の長さ方向と、前記直交方向（矢印Ａ方向）とで形成される角度（β）よりも大きくなっている。
【００３２】
またさらに、支持アーム（３）〜（６）は、略水平方向に沿って設けられており、それぞれの上面において、これらすべての支持アーム（３）〜（６）間に跨るようにして例えば円環状の補強プレート（１６）が例えば溶接によって固着されている。従って、それぞれの支持アーム（３）〜（６）が折損したり歪んだりし難くなっている。
【００３３】
ただし、支持アーム（３）〜（６）は、必ずしも水平方向に沿って設けられる必要はなく、他端から一端にかけて、上方又は下方に傾いた状態で設けられるようにしても良い。
【００３４】
なお、この発明は、上記実施形態に限定されるものではなく、この発明の範囲内で上記実施形態に多くの修正及び変更を加え得ることは勿論である。
【００３５】
例えば、塗装ガン（７）〜（１０）の左右それぞれの側における設置数は、必ずしも２台に限られず、複数であれば３台以上設けるようにしても同様の効果を奏するものである。
【００３６】
また、支持アーム（３）〜（６）の設置数については、左右それぞれの側において必ずしも２本ずつとする必要はなく、塗装ガン（７）〜（１０）の設置数に応じて定めるようにすれば良い。
【００３７】
【発明の効果】
以上の説明から明らかなように、この発明の塗装装置は、それぞれの支持アームが、垂直シャフト下端部から見て略放射状に延びるように配置されているため、垂直シャフトと支持アームとを、すべて同一箇所で連結できるようになっている。従って、少ない部品点数で、垂直シャフトと支持アームとを連結できるようになっており、装置の軽量化、及び材料コストの低減化を図ることができるようになっている。
【００３８】
また、装置が軽量であるため、装置をレシプロ運動させるなど可動式にした場合でも、装置にあまり大きな負荷がかかることがないために、支持アームが折損するなどの不具合を防止することができるようになっている。
【００３９】
よって、例えばコンベア等に搬送される被塗装材に対して、装置をレシプロ運動させながら塗装する場合は、装置のレシプロ速度を十分に上げることが可能となるため、その分だけ被塗装材を速い速度で搬送することができ、塗装効率を向上させることができるようになっている。
【００４０】
さらに、被塗装材の搬送方向右側に設けられた複数の塗装ガンと、搬送方向左側に設けられた複数の塗装ガンとが、それぞれ搬送方向に略平行な一直線上に配置されているため、被塗装材としてＬ形の外壁材の外表面を塗装する場合、その搬送方向右側の外表面は右側の塗装ガンによって、左側の外表面は左側の塗装ガンによって、それぞれ複数の塗装ガンによって重ね塗りされるようになっている。
【００４１】
よって、装置のレシプロ速度を必要以上に速くしなくても、速い速度で搬送される被塗装材に対して、むらなく塗装できるようになっているため、短時間で多くの被塗装材を効率よく塗装することが可能となり、生産性の向上を図ることができるようになっている。
【００４２】
またさらに、右側の塗装ガンと左側の塗装ガンとは、被塗装材の搬送方向におけるそれぞれの前後位置が互い違いとなるように配置されているため、上述したように、一定方向に搬送されるＬ形の外壁材に対して、その搬送方向に直交する横方向に装置をレシプロ運動させながら塗装する場合、左右いずれの外表面においても、塗り残しが生じることなく、むらなく塗装できるようになっている。
【００４３】
加えて、それぞれの塗装ガンは、水平方向に対して略４５度下方に傾いた状態で取り付けられているため、外表面が略４５度傾いた状態で搬送される例えばＬ形の外壁材を塗装する際に、その搬送方向右側の外表面に対しては、同じく右側の塗装ガンから左下方へ、搬送方向左側の外表面に対しては、同じく左側の塗装ガンから右下方へ、それぞれ外表面に対して直交する方向へ塗料を吹き付けるようになっている。
【００４４】
従って、Ｌ形の外壁材の外表面に溝や目地等が形成されている場合、それら溝や目地等に対しても塗り残しなく塗装できるようになっている。
【図面の簡単な説明】
【図１】この発明の一実施形態に係る塗装装置を示す斜視図である。
【図２】同じくその平面図である。
【図３】同じくその正面図である。
【図４】従来の塗装装置を示す平面図である。
【図５】従来の塗装装置を示す正面図である。
【符号の説明】
（１）  塗装装置
（２）  垂直シャフト
（３）  支持アーム
（４）  搬送方向右側の塗装ガン
（７）  搬送方向左側の塗装ガン
（１０）  被塗装材
【図１】
2004167314.tif 000003
【図２】
2004167314.tif 000004
【図３】
2004167314.tif 000005
【図４】
2004167314.tif 000006
【図５】
2004167314.tif 000007